(57)【要約】 【課題】   屋外での犬の散歩運動時に発生する脱糞を、地面等に落下させることなく直接に捕捉し、後処理においても、随伴者の手や器具を汚ごすことなく、簡便に操作でき、携行にも至便な犬糞処理具を提供する。  【解決手段】                                                                     後部に握持部１ｆを設け、先端及びそのやや後方にフック１ａ、１ｂを形成した把手杆１と、基端部２ａを、前記把手杆１の先端部に固定し、終端部２ｂは基端部２ａ間に空隙２ｃを設けると共に、下向きに屈曲２ｄさせた略環状のリング２と、上方を開口した、樹脂製袋体の上端部の一端に切り込み３ａを入れ、これを外側に折り返して、略開口部全周にわさ３ｂを形成しまた、切り込み３ａと対向位置の下段部には、略半周の筒状部３ｃを形成しかつ、前記切り込み３ａの下方には貫通穴３ｄを穿設した、捕捉体３と、わさ３ｂに挿通されるループ状紐体４よりなる。   【選択図】   図１
0003103484.tif 000002
【実用新案登録請求の範囲】
【請求項１】
後部に握持部を設け、先端及びそのやや後方にフックを形成した把手杆と、基端部を、前記把手杆の先端部に固定し、終端部は、基端部と空隙を設けると共に、下向きに屈曲させた略環状のリング杆と、上方を開口し、薄厚で耐水性および柔軟性ある樹脂製袋体の上端部の一端に切り込みを入れ、これを外側に折り返して、略開口部全周に環状筒状部を形成しまた、切り込みと対向位置の下段部には、前記環状のリング杆を装着するための略半周の筒状部を形成しかつ、前記切り込みの下方には貫通穴を穿設した、犬糞捕捉体と、 前記環状筒状部に挿通されるループ状紐体と、よりなることを特徴とする、犬糞処理具。
【請求項２】
前記把手杆および環状のリング杆などの素材が、ステンレス、硬質樹脂、アルミニウムまたは木材であることを特徴とする、請求項１記載の犬糞処理具。
【請求項３】
前記把手杆の前部と後部が、ボルトなどにより連結されてなり、後部の握持部は、滑り止めを設けると共に、先端部よりやや太径としたことを特徴とする、請求項１及び請求項２記載の犬糞処理具。
【考案の詳細な説明】
【技術分野】
【０００１】
本考案は、主に屋外における犬糞処理具に係り、詳しくは簡単な構成で、屋外での犬の散歩運動時に発生する脱糞を、地面等に落下させることなく捕捉し、後処理においても、随伴者の手や器具を汚ごすことなく処理できる、衛生的な犬糞処理具に関する。
【背景技術】
【０００２】
近年、ペットブームが到来し、犬猫などを飼育する個人、家庭が増加するとともに、各地域の都市化が進み、犬の散歩運動地域例えば、公園、学校のグラウンドなどと住宅地が近接するようになっている。このような状況下で、散歩運動時における犬の排泄物の処理を完全に行わないと、地面に放置された犬糞は、悪臭を放ったりするのみならず環境衛生上また、飼主のマナーや公衆モラル上好ましくなく、社会問題ともなっている。
【０００３】
散歩運動時の随伴者は、犬糞を回収しこれを処理するマナーやモラル上の義務があり、一般的には、散歩時に小型のショベルやティッシュペーパー、ビニール袋などを携行し、道路、公園などでの脱糞をショベルですくい取ったり、ティッシュペーパーで摘んだりしてビニール袋などに収容し、自宅に持ち帰り処分している。
【０００４】
犬糞の処理具としては、地面に落下した犬糞を左右の指を使う、紙製のすくい取り具（例えば、特許文献１参照）、使い捨て容器を使用するものして、回収容器を保持する蓋体と柄付きの容器保持部と、柄の上端に設けられた把持部と、蓋体を開閉動作させる開閉手段とを具備した、ペット用糞回収具（特許文献２参照）など多数の提案がなされている。
【特許文献１】特開２００１−７８６１０号公報
【特許文献２】特開平８−１７２９６３号公報
【考案の開示】
【考案が解決しようとする課題】
【０００５】
しかしながら、ショベル、ティッシュペーパー、ビニール袋などを携行するのは、体裁が悪い上に、犬糞の処理に際しては膝を折ったり、腰を屈曲しなければならないため、高齢者には苦痛を伴いかつおっくうであるため、ショベル、ビニール袋などを携行しないか又は、その処理を怠りがちで、近隣住民には多大な迷惑となっている。
【０００６】
特許文献１に開示する、「使い捨て犬の糞すくい取り具」によれば、紙製で携行には軽くて都合が良いが、左右の指を使いすくい取るために非衛生的である。
【０００７】
また特許文献２に開示する、「ペット用糞回収具」は、使い捨て容器、容器保持部、蓋体、ヒンジ、バネ、柄、ワイヤ、ワイヤガイド、把持部、レバーなど多数の部材よりなっているので、重量があり、携行には適さないのみならず、必然的に製作コストも高価となり、さらに使用に際しては、把持部と共にレバーを握って蓋体を開き、落下する糞を容器内に回収し、自宅に持ち帰り、容器の蓋をステープラーなどを用いて固定しなければならないという不便さがある。
【課題を解決するための手段】
【０００８】
請求項の１に係る考案は、後部に握持部を設け、先端及びそのやや後方にフックを形成した把手杆と、基端部を、前記把手杆の先端部に固定し、終端部は基端部と空隙を設けると共に、下向きに屈曲させた略環状のリング杆と、上方を開口し、薄厚で耐水性および柔軟性ある樹脂製袋体の上端部の一端に切り込みを入れ、これを外側に折り返して、略開口部全周に環状筒状部を形成しまた、切り込みと対向位置の下段部には、前記環状のリング杆を装着するための略半周の筒状部を形成しかつ、前記切り込みの下方には貫通穴を穿設した、犬糞捕捉体と、前記環状筒状部に挿通されるループ状紐体と、よりなることを特徴としている。
【０００９】
請求項２の考案は、請求項１において、前記把手杆および環状のリング杆などの素材が、ステンレス、硬質樹脂、アルミニウムまたは木材であることを特徴としている。
【００１０】
請求項３の考案は、請求項１〜請求項２において、前記把手杆の前部と後部が、ボルトなどにより連結されてなり、後部の握持部は、滑り止めを設けると共に、先端部よりやや太径としたことを特徴としている。
【考案の効果】
【００１１】
本考案に係る、犬糞処理具は上記の構成をもってなるから、以下の効果を奏する。請求項１によれば、全体的な構造がシンプルであるために、把手杆の先端部に固定した環状のリング杆からの犬糞捕捉体の着脱は、迅速、簡易に行え、かつ脱糞の後処理が簡便にでき、また犬糞捕捉体は、使い捨て可能な薄厚、耐水性および柔軟性ある樹脂製袋体であるから、犬糞が随伴者の手、指などに直接又は間接的にも接触することがないので、衛生的である。さらに部品点数も少なく、主な構成部材も軽量素材よりなっているので、携行に便利であり、かつ環状のリング杆は、袋体の略半周の筒状部に装着されまた、把手杆に設けた２個のフックに袋体と紐体が係止されているので、悪天候時、特に強風下における使用にもなんら支障がなく、加えて犬糞の捕捉作業における随伴者は、把手杆の先端部に固定した環状のリング杆を、排泄姿勢をとった犬の肛門下に持って行くだけであり、またその後処理に際しても膝、腰を屈曲することもなく操作できるので、とくに高齢者には優しい犬糞処理具となる。
【００１２】
請求項２によれば、把手杆および環状のリング杆製作素材に、硬質樹脂またはアルミニウムを使用すれば、一体成型が可能であるために製作コストが廉価となり、市販価格を安価で提供することができる。
【００１３】
請求項３によれば、把手杆の前部と後部が、分離可能であるから、収納時においては嵩張ることもなく、また犬糞捕捉体を環状のリング杆に着装するのに好適である。
【考案を実施するための最良の形態】
【００１４】
本考案の実施の形態を添付の図面に基づいて詳細に説明する。図１は、本考案に係る犬糞処理具の斜視図で、図２は図１におけるＺ−Ｚ線拡大断面図、図３は把手杆および環状リングの平面図、図４はその側面図、図５は犬糞捕捉体の側面図、図６はその正面図、図７は犬糞捕捉体に環状のリング杆を装着するときの平面図である。
【００１５】
犬糞処理具（以下、処理具Ｓという）は、図１、図３および図４に示すように、把手杆１、環状のリング杆（以下、リング２という）、犬糞捕捉体（以下、捕捉体３という）およびループ状紐体４を、主な構成部材とし、把手杆１は、硬質樹脂例えば、硬質塩化ビニールまたはＦＲＰなどを素材とし、全長の略中間点で前部と後部に分離可能とされ、前部の先端とそのやや上部にフック１ａ、１ｂが形成され、またその先端軸部および後部との連結軸部にはそれぞれ雌ねじ１ｃ、１ｄが設けられ、後部端部には、前部の先端より太径とした滑り止め１ｅを形成した握持部１ｆが設けられ、後部の前突端には雄ねじ１ｇが形成され、前部の雌ねじ１ｄに螺合されて把手杆１は一体化されている。
【００１６】
リング２は、例えばステンレス製の丸棒材を環状に曲成してなり、基端部２ａには雄ねじが形成され、把手杆１の先端軸部に設けられた雌ねじ１ｃと螺合して固定され、その終端部２ｂは、基端部２ａとの間に空隙２ｃが設けられると共に、下向きに屈曲２ｄされている。
【００１７】
捕捉体３は、図２、図５及び図６に示すように、薄厚で耐水性および柔軟性ある樹脂材例えば、ポリエチレン製半透明の袋体が好ましく、その上端部の一端に切り込み３ａが入れられ、これを外側下向きに折り返し、その折り返し部は、袋体の内周面にヒートシーラー（不図示）などにより三段にわたって溶着３ｈ、３ｉ、３ｊされ、略開口部全周に環状筒状部（以下、わさ３ｂという）を形成し、また、切り込み３ａと対向位置の下段部には、上記リング２を装着するための略半周の筒状部３ｃを形成しかつ、上記切り込み３ａの下方には貫通穴３ｄが穿設されている。
【００１８】
紐体４は、木綿または軟質樹脂製の非伸縮性のものが好適で、上記捕捉体３の開口全周に形成された、わさ３ｂに紐通し具などにより挿通され、把手杆１の前部に設けたフック１ｂに係止する長さで両端を緊縛、結節４ａしてループ状としている。
【００１９】
つぎに捕捉体３を、リング２に装着する手順について説明する。まず、図７に示すように、紐体４の結節４ａをリング２の基端部２ａの対向位置にくるように、捕捉体３を底部から下方にリング２内に挿入すれば、リング２の終端部２ｂの位置に捕捉体３の筒状部３ｃの挿入口３ｅがくるように設定されているので、その挿入口３ｅの直上のわさ３ｂを指先で摘み、これを時計逆回り（矢印Ａ）に回動させると、筒状部３ｃは、リング２を周回し、紐体４はリング２の基端部２ａに到達する。続いて図５及び図６に示すように、捕捉体３の貫通穴３ｄを、把手杆１に設けたフック１ａに係止させ、さらに紐体４の結節４ａをフック１ｂに係止させ、捕捉体３のリング２への装着作業は終了する。
【００２０】
脱糞捕捉後の捕捉体３の後処理は、装着手順とは逆に、図１に示すように例えば、随伴者の右手は、握持部１ｆを把持し、左手で把手杆１の紐体４をフック１ｂから、また貫通穴３ｄからフック１ａを解放し、把手杆１を上方に持ち上げ、時計順回り（矢印Ｃ）に半転させると同時に、図７に示すように紐体４を、時計回り（矢印Ｂ）に回すと補足体３はリングを滑動して終端部２ｂに収束され、基端部２ａ間の空隙２ｃから回収される。その時糞の重みで、補足体３の口が締まる。手で紐体４をぶら下げて処理具Ｓと共に持ち帰る。
【００２１】
回収された捕捉体３は、自宅に持ち帰り、適宜処理される。
【産業上の利用可能性】
【００２２】
本考案に係る犬糞処理具によれば、全体的な構造がシンプルであり、また部品点数も少なく、主要部材である把手杆１およびリング２を製作するにあたって、硬質樹脂またはアルミニウムを使用すれば、一体成型はもちろん、大量生産することができるので製作コストが低減され、市販価格を安価で提供することができる。なお捕捉体３の製作素材は、薄厚で耐水性および柔軟性ある樹脂材のポリエチレン製であるため、焼却処分しても有害な塩素ガスを発生しないので、環境を汚染することがない。
【図面の簡単な説明】
【００２３】
【図１】本考案に係る、犬糞処理具の全体を示す斜視図である。
【図２】図１における、Ｚ−Ｚ線拡大断面図である。
【図３】把手杆および環状のリング杆の平面図である。
【図４】同上の側面図である。
【図５】犬糞捕捉体の側面図である。
【図６】同上の正面図である。
【図７】犬糞捕捉体に、環状のリング杆を装着するときの平面図である。
【符号の説明】
【００２４】
Ｓ                    犬糞処理具
１                    把手杆
２                    リング
３                    捕捉体
４                    ループ状紐体
１ａ                  フック
１ｂ                  フック
１ｃ                  雌ねじ
１ｄ                  雌ねじ
１ｅ                  滑り止め
１ｆ                  握持部
１ｇ                  雄ねじ
２ａ                  基端部
２ｂ                  終端部
２ｃ                  空隙
２ｄ                  屈曲
３ａ                  切り込み
３ｂ                  わさ
３ｃ                  筒状部
３ｄ                  貫通穴
３ｅ                  挿入口
３ｈ、３ｉ、３ｊ      溶着
４ａ                  結節
【図１】
0003103484.tif 000003
【図２】
0003103484.tif 000004
【図３】
0003103484.tif 000005
【図４】
0003103484.tif 000006
【図５】
0003103484.tif 000007
【図６】
0003103484.tif 000008
【図７】
0003103484.tif 000009